【手続補正書】
【提出日】平成18年6月2日(2006.6.2)
【手続補正１】
【補正対象書類名】明細書
【補正対象項目名】特許請求の範囲
【補正方法】変更
【補正の内容】
【特許請求の範囲】
【請求項１】  ネットワーク上にあり、経路及びサービスの品質（ＱｏＳ）のパラメーターの第１の組を持った第１仮想回路を監視するための方法であって：
ネットワーク上に前記経路及び前記サービス品質のパラメーターの第１の組を持った第２仮想回路を確立すること；及び、
第２仮想回路のサービス品質のパラメーターの第２の組を調べることによって、第１仮想回路を監視することのステップを含む方法。
【請求項２】  前記監視するステップがさらに：
サービス品質パラメーターの第２の組をサービス品質パラメーターの第１の組と比較することのステップを含む、請求項１に記載の方法。
【請求項３】  前記監視するステップがさらに：
第２仮想回路でセルの送信遅延を調べることのステップを含む、請求項１に記載の方法。
【請求項４】  前記監視するステップがさらに：
第２仮想回路でセルの遅延の変動量を調べることのステップを含む、請求項１に記載の方法。
【請求項５】  前記監視するステップがさらに：
第２仮想回路でセルの損失比を調べることのステップを含む、請求項１に記載の方法。
【請求項６】  前記監視するステップがさらに：
第２仮想回路でセルの送信遅延の最大値を調べることのステップを含む、請求項１に記載の方法。
【請求項７】  前記監視するステップがさらに：
第２仮想回路でセルの送信遅延の最小値を調べることのステップを含む、請求項１に記載の方法。
【請求項８】  前記監視するステップがさらに：
第２仮想回路でセルの送信遅延の平均値を調べることのステップを含む、請求項１に記載の方法。
【請求項９】  前記監視するステップがさらに：
第２仮想回路でセルを送信するときにセルにタイムスタンプを押すこと；及び、
第２仮想回路でセルを受信するときにセルにタイムスタンプを押すことのステップを含む、請求項１に記載の方法。
【請求項１０】  通信ネットワークとインターフェースを行うためにクロック、アダプタードライバ、並びに、メモリー、プロセッサー、及びレジスタを備えるアダプターカードを持つコンピューター上でセルにタイムスタンプ処理をするための方法であって：
セルを前記メモリーにライトすること；
セルに前記クロックの現在の時間を含めること；
前記アダプターカードに割り込み信号を発生すること；及び、
前記割り込み信号に応答してセルをネットワークに送信することのステップを含む方法。
【請求項１１】  前記割り込みを発生するステップがさらに：
「送信」コマンドをレジスタにライトすることを含む、請求項１０に記載の方法。
【請求項１２】  通信ネットワークとインターフェースを行うためにメモリー、クロック、アダプタードライバ、及びアダプターカードを備えたコンピューター上でセルにタイムスタンプ処理をするための方法であって：
ネットワークから前記アダプターカードにセルを受信すること；
前記コンピューターに割り込み信号を発生すること；
割り込み信号に応答して、前記クロックの現在の時間を前記メモリーに格納すること；及び、
セルに格納されたクロックの現在の時間をセルに含めることのステップを含む方法。
【請求項１３】  ネットワーク上にあり、経路及びサービス品質パラメーターの第１の組を持った第１仮想回路を監視するためのコンピューターであって：
前記経路と前記サービス品質パラメーターの第１の組を持った第２仮想回路への接続を確立するための接続マネージャー；
第２仮想回路で複数のセルを送信するためのトラフィックジェネレーター；及び、
第２仮想回路でサービス品質パラメーターの第２の組を調べることによって第１仮想回路を監視するためのトラフィックアナライザーを備えるコンピューター。
【請求項１４】  前記トラフィックアナライザーがサービス品質パラメーターの第２の組をサービス品質パラメーターの第１の組と比較するための手段をさらに備える、請求項１３に記載のコンピューター。
【請求項１５】  前記トラフィックアナライザーが第２仮想回路でセルの送信遅延を調べるための手段をさらに備える、請求項１３に記載のコンピューター。
【請求項１６】  前記トラフィックアナライザーが第２仮想回路でセル遅延の変動量を調べるための手段をさらに備える、請求項１３に記載のコンピューター。
【請求項１７】  前記トラフィックアナライザーが第２仮想回路でセルの損失比を調べるための手段をさらに備える、請求項１３に記載のコンピューター。
【請求項１８】  前記トラフィックアナライザーが第２仮想回路でセルの送信遅延の最大値を調べるための手段をさらに備える、請求項１３に記載のコンピューター。
【請求項１９】  前記トラフィックアナライザーが第２仮想回路でセルの送信遅延の最小値を調べるための手段をさらに備える、請求項１３に記載のコンピューター。
【請求項２０】  前記トラフィックアナライザーが第２仮想回路でセルの送信遅延の平均値を調べるための手段をさらに備える、請求項１３に記載のコンピューター。
【請求項２１】  ネットワーク上にあり、各々が経路及びサービスの品質（ＱｏＳ）のパラメーターの第１の組を持った複数の仮想回路を監視するための方法であって：
ネットワーク上に前記経路及び前記サービス品質のパラメーターの第１の組を持った第２仮想回路を確立すること；及び、
第２仮想回路のサービス品質のパラメーターの第２の組を調べることによって、前記複数の仮想回路を監視することのステップを含む方法。
【請求項２２】  前記監視するステップがさらに：
サービス品質パラメーターの第２の組をサービス品質パラメーターの第１の組と比較することのステップを含む、請求項２１に記載の方法。
【請求項２３】  前記監視するステップがさらに：
第２仮想回路でセルの送信遅延を調べることのステップを含む、請求項２１に記載の方法。
【請求項２４】  前記監視するステップがさらに：
第２仮想回路でセルの遅延の変動を調べることのステップを含む、請求項２１に記載の方法。
【請求項２５】  前記監視するステップがさらに：
第２仮想回路でセルの損失比を調べることのステップを含む、請求項２１に記載の方法。
【請求項２６】  前記監視するステップがさらに：
第２仮想回路でセルの送信遅延の最大値を調べることのステップを含む、請求項２１に記載の方法。
【請求項２７】  前記監視するステップがさらに：
第２仮想回路でセルの送信遅延の最小値を調べることのステップを含む、請求項２１に記載の方法。
【請求項２８】  前記監視するステップがさらに：
第２仮想回路でセルの送信遅延の平均値を調べることのステップを含む、請求項２１に記載の方法。
【請求項２９】  前記監視するステップがさらに：
第２仮想回路でセルを送信するときにセルにタイムスタンプを押すこと；及び、
第２仮想回路でセルを受信するときにセルにタイムスタンプを押すことのステップを含む、請求項２１に記載の方法。
【請求項３０】  ネットワーク上にあり、経路及びサービスの品質（ＱｏＳ）のパラメーターの第１の組を持った第１仮想回路を監視するための方法であって：
ネットワーク上に前記経路及び前記サービス品質のパラメーターの第１の組を持った第２仮想回路を確立すること；及び、
第２仮想回路のサービス品質のパラメーターの第２の組を調べることによって、第１仮想回路を監視することのステップを含む方法を実施するためにコンピューターを設定することが可能なコンピューターリード可能媒体。
【請求項３１】  前記監視するステップがさらに：
サービス品質パラメーターの第２の組をサービス品質パラメーターの第１の組と比較することのステップを含む、請求項３０に記載のコンピューターリード可能媒体。
【請求項３２】  セルにタイムスタンプ処理をするための方法を実施するためにコンピューターを設定することが可能なコンピューターリード可能媒体であって：
前記コンピューターが通信ネットワークとインターフェースを行うためにクロック、アダプタードライバ、並びに、メモリー、プロセッサー、及びレジスタを備えるアダプターカードを備え；
前記方法が：
セルを前記メモリーにライトすること；
セルに前記クロックの現在の時間を含めること；
前記アダプターカードに割り込み信号を発生すること；及び、
前記割り込み信号に応答してセルをネットワークに送信することのステップを含むコンピューターリード可能媒体。
【請求項３３】  前記割り込みを発生するステップがさらに：
「送信」コマンドをレジスタにライトすることを含む、請求項３２に記載のコンピューターリード可能媒体。
【請求項３４】  セルにタイムスタンプ処理をするための方法を実施するためにコンピューターを設定することが可能なコンピューターリード可能媒体であって：
前記コンピューターが通信ネットワークとインターフェースを行うためにクロック、アダプタードライバ、並びに、メモリー、プロセッサー、及びレジスタを備えるアダプターカードを備え；
前記方法が：
ネットワークから前記アダプターカードにセルを受信すること；
前記コンピューターに割り込み信号を発生すること；
割り込み信号に応答して、前記クロックの現在の時間を前記メモリーに格納すること；及び、
セルに格納されたクロックの現在の時間をセルに含めることのステップを含むコンピューターリード可能媒体。
【請求項３５】  通信ネットワークにセルを送信する直前にセルにタイムスタンプ処理をするためのコンピューターであって：
アダプターカードに割り込み信号を発生する直前にセルにタイムスタンプ処理をするためのアダプタードライバプログラムを備える第１メモリー；
前記アダプタードライバプログラムを実行するための第１プロセッサー；及び、
ネットワークとインターフェースするためのアダプターカードであって：
割り込み信号への応答でネットワークにセルを送信するためのファームウエアを備える第２メモリー；及び、
前記ファームウエアを実行するための第２プロセッサーを備えるアダプターカードを備えるコンピューター。
【請求項３６】  通信ネットワークからセルを受信した直後にセルにタイムスタンプ処理をするためのコンピューターであって：
ネットワークとインターフェースするためのアダプターカードであって：
セルを受信し、コンピューターに割り込み信号を発生するためのファームウエアを備える第１メモリー；及び、
前記ファームウエアを実行するための第１プロセッサー；
を備えるアダプターカード；
割り込み信号への応答でセルにタイムスタンプ処理をするためのアダプタードライバプログラムを備える第２メモリー；及び、
前記アダプタードライバプログラムを実行するための第２プロセッサーを備えるコンピューター。